(57)【要約】【課題】側面カバー部材の開方向への移動を抑制できる画像形成装置の提供。【解決手段】ケース体Ｃは、ケース本体Ｃ１と、筐体Ｍの内部を露出させない第１閉位置と内部を露出させる第１開位置とに回動可能な側面カバー部材６５と、ケース本体Ｃ１に形成される第１集積面７１と、側面カバー部材６５に形成される第２集積面７２と、横臥した第１位置と起立した第２位置とに回動移動可能で、第１位置にある場合に第１集積面７１と連続する第１面１０２と、第２位置にある場合に集積部Ｍ１に集積された被転写材の移動を規制する第２面１０３とを有するストッパ部材１０１と、第１面１０２に形成され、ストッパ部材１０１が第２位置にある場合、第１閉位置にある側面カバー部材６５の第２集積面７２に当接して側面カバー部材６５における第１開位置側への回動移動を規制する第１規制部１０４と、を有するケース体Ｃと、を備える。【選択図】図９
2011075891.tif 000002
【特許請求の範囲】
【請求項１】
筐体と、
前記筐体の内部に配置されシート状の被転写材に画像を形成する画像形成部と、
前記画像形成部により画像が形成された前記被転写材を前記筐体の内部から外部に排出する排出部と、
前記排出部から排出された前記被転写材が集積される集積部と、
前記筐体の外形を構成するケース体であって、
ケース本体と、
前記ケース本体における垂直方向下側に配置される第１回動軸により前記筐体の内部を露出させない第１閉位置と前記内部を露出させる第１開位置とに回動可能に前記ケース本体と連結される側面カバー部材と、
前記ケース本体に形成され、前記集積部の一部を構成する第１集積面と、
前記側面カバー部材に形成され、前記側面カバー部材が前記第１閉位置にある場合に前記第１集積面と連続して前記集積部を構成する第２集積面と、
前記ケース本体に直接的又は間接的に配置される第２回動軸を中心に横臥した第１位置と起立した第２位置とに前記ケース本体に回動移動可能に連結され、前記第１位置にある場合に前記第１集積面と連続して前記集積部の一部を構成する第１面と、前記第２位置にある場合に前記集積部に集積された前記被転写材の移動を規制する第２面とを有するストッパ部材と、
前記ストッパ部材における前記第１面に形成され、前記ストッパ部材が前記第２位置にある場合、前記第１閉位置にある前記側面カバー部材の前記第２集積面に当接して前記側面カバー部材における第１開位置側への回動移動を規制する第１規制部と、を有するケース体と、を備える
画像形成装置。
【請求項２】
前記第１規制部は、凸状であって、自由端側に形成される第１傾斜部と、前記第２回動軸側に形成され前記第１傾斜部よりも傾きが大きい第２傾斜部とを備える
請求項１に記載の画像形成装置。
【請求項３】
前記第２傾斜部は、前記ストッパ部材が前記第２位置にある場合、前記側面カバー部材における前記第２集積面に面接触して当接される
請求項２に記載の画像形成装置。
【請求項４】
前記ケース体は、
一端側に配置される前記第２回動軸により前記ストッパ部材を回動可能に連結させると共に、他端側が第３回動軸により前記筐体における内部を露出させない第２閉位置と前記内部を露出させる第２開位置とに回動可能に前記ケース本体と連結される上面カバー部材と、を備える
請求項１から３のいずれかに記載の画像形成装置。
【請求項５】
前記上面カバー部材は、前記ストッパ部材が前記第２位置よりも更に前記第１位置と反対方向へ回動移動した第３位置にある前記ストッパ部材の前記第１規制部に当接して、前記ストッパ部材における前記第１位置と反対方向への更なる回動移動を規制する第２規制部と、を備える
請求項４に記載の画像形成装置。
【請求項６】
前記ストッパ部材は、前記第２規制部により前記第１規制部が当接された状態において、該ストッパ部材における自由端が垂直方向において前記第２回動軸よりも上側に位置するよう配置される
請求項５に記載の画像形成装置。
【請求項７】
前記集積部における垂直方向上側に配置され垂直方向下側の面により前記集積部における上面を形成する読み取り部と、を更に備え、
前記第２規制部により前記第１規制部が当接された状態にある場合、
前記ストッパ部材は、前記読み取り部における前記垂直方向下側の面に沿うように配置される
請求項５又は６に記載の画像形成装置。
【発明の詳細な説明】
【技術分野】
【０００１】
本発明は、コピー機等の画像形成装置に関する。
【背景技術】
【０００２】
従来、画像形成装置としてのコピー機等において、コンパクト化が進んでいる。ここで、コンパクト化されたコピー機等においては、トナー画像が形成された後に排紙された用紙を集積する集積部も小さくなるため、排紙された用紙が集積部からはみ出して床に落下する場合があった。
【０００３】
これに対し、排紙された用紙の落下を抑制するため、排紙部に対向するようにストッパ部材を設けたコピー機が提案されている（例えば、特許文献１参照）。
【先行技術文献】
【特許文献】
【０００４】
【特許文献１】特開２００３−４０５１３号公報
【発明の概要】
【発明が解決しようとする課題】
【０００５】
しかし、特許文献１に記載のコピー機において、ストッパ部材が延びる側にトナー等の交換のために開閉する側面カバー部材が配置されている場合、ストッパ部材は、側面カバー部材における開閉移動の邪魔となる場合があった。
これに対し、ストッパ部材を、横臥位置から立ち上がって排紙をストップする位置に回動可能となるよう本体に配置することで、ストッパ部材が側面カバー部材の開閉移動の邪魔とならないように構成することができる。
【０００６】
しかし、回動して立ち上がったストッパ部材が側面カバー部材に当接するように配置されると、ストッパ部材の自重やストッパ部材の上に積層される用紙の重さは、側面カバー部材に対して側面カバー部材を回動させる方向に伝わる場合があった。この場合、側面カバー部材は、ユーザの意図しないタイミングで開いてしまうという問題があった。
【０００７】
本発明は、ケース本体と、ケース本体に回動可能に連結される側面カバー部材と、ケース本体から排出された被転写材の落下を抑制する位置に配置可能なストッパ部材とを備える画像形成装置において、ストッパ部材が被転写材の落下を抑制する位置に配置された場合に側面カバー部材が開方向へ移動することを抑制することができる画像形成装置を提供することを目的とする。
【課題を解決するための手段】
【０００８】
本発明は、筐体と、前記筐体の内部に配置されシート状の被転写材に画像を形成する画像形成部と、前記画像形成部により画像が形成された前記被転写材を前記筐体の内部から外部に排出する排出部と、前記排出部から排出された前記被転写材が集積される集積部と、前記筐体の外形を構成するケース体であって、ケース本体と、前記ケース本体における垂直方向下側に配置される第１回動軸により前記筐体の内部を露出させない第１閉位置と前記内部を露出させる第１開位置とに回動可能に前記ケース本体と連結される側面カバー部材と、前記ケース本体に形成され、前記集積部の一部を構成する第１集積面と、前記側面カバー部材に形成され、前記側面カバー部材が前記第１閉位置にある場合に前記第１集積面と連続して前記集積部を構成する第２集積面と、前記ケース本体に直接的又は間接的に配置される第２回動軸を中心に横臥した第１位置と起立した第２位置とに前記ケース本体に回動移動可能に連結され、前記第１位置にある場合に前記第１集積面と連続して前記集積部の一部を構成する第１面と、前記第２位置にある場合に前記集積部に集積された前記被転写材の移動を規制する第２面とを有するストッパ部材と、前記ストッパ部材における前記第１面に形成され、前記ストッパ部材が前記第２位置にある場合、前記第１閉位置にある前記側面カバー部材の前記第２集積面に当接して前記側面カバー部材における第１開位置側への回動移動を規制する第１規制部と、を有するケース体と、を備える画像形成装置に関する。
【０００９】
また、前記第１規制部は、凸状であって、自由端側に形成される第１傾斜部と、前記第２回動軸側に形成され前記第１傾斜部よりも傾きが大きい第２傾斜部とを備えることが好ましい。
【００１０】
また、前記第２傾斜部は、前記ストッパ部材が前記第２位置にある場合、前記側面カバー部材における前記第２集積面に面接触して当接されることが好ましい。
【００１１】
また、前記ケース体は、一端側に配置される前記第２回動軸により前記ストッパ部材を回動可能に連結させると共に、他端側が第３回動軸により前記筐体における内部を露出させない第２閉位置と前記内部を露出させる第２開位置とに回動可能に前記ケース本体と連結される上面カバー部材と、を備えることが好ましい。
【００１２】
また、前記上面カバー部材は、前記ストッパ部材が前記第２位置よりも更に前記第１位置と反対方向へ回動移動した第３位置にある前記ストッパ部材の前記第１規制部に当接して、前記ストッパ部材における前記第１位置と反対方向への更なる回動移動を規制する第２規制部と、を備えることが好ましい。
【００１３】
また、前記ストッパ部材は、前記第２規制部により前記第１規制部が当接された状態において、該ストッパ部材における自由端が垂直方向において前記第２回動軸よりも上側に位置するよう配置されることが好ましい。
【００１４】
また、前記集積部における垂直方向上側に配置され垂直方向下側の面により前記集積部における上面を形成する読み取り部と、を更に備え、前記第２規制部により前記第１規制部が当接された状態にある場合、前記ストッパ部材は、前記読み取り部における前記垂直方向下側の面に沿うように配置されることが好ましい。
【発明の効果】
【００１５】
本発明によれば、ケース本体と、ケース本体に回動可能に連結される側面カバー部材と、ケース本体から排出された被転写材の落下を抑制する位置に配置可能なストッパ部材とを備える画像形成装置において、ストッパ部材が被転写材の落下を抑制する位置に配置された場合に側面カバー部材が開方向へ移動することを抑制することができる画像形成装置を提供することができる。
【図面の簡単な説明】
【００１６】
【図１】本発明の実施形態のコピー機１の斜視図である。
【図２】コピー機１における各構成要素の配置を説明するための左側面図である。
【図３】ストッパ部材１０１を説明する拡大斜視図である。
【図４】第１位置にあるストッパ部材１０１を説明する拡大断面図である。
【図５】第１開位置に移動した側面カバー部材６５を説明する断面図である。
【図６】第１閉位置にある側面カバー部材６５と、第１位置にあるストッパ部材１０１とを説明する断面図である。
【図７】第２位置に移動したストッパ部材１０１を説明する斜視図である。
【図８】第１閉位置にある側面カバー部材６５と、第２位置に移動したストッパ部材１０１を説明する断面図である。
【図９】第１閉位置にある側面カバー部材６５と、第２位置に移動したストッパ部材１０１を説明する拡大断面図である。
【図１０】第１開位置に移動した側面カバー部材６５と、第２開位置に移動した上部カバー部材１１０とを説明する斜視図である。
【図１１】第２開位置に移動した上部カバー部材１１０と、第３位置に移動したストッパ部材１０１を説明する断面図である。
【発明を実施するための形態】
【００１７】
以下、図面を参照して本発明の実施形態について説明する。
図１及び図２により、本発明の画像形成装置の実施形態としてのコピー機１における全体構造を説明する。図１は、本発明の実施形態のコピー機１の斜視図である。図２は、コピー機１における各構成要素の配置を説明するための左側面図である。
【００１８】
本実施形態においては、後述する側面カバー部材６５が配置された側をコピー機１の前側とする。また、左右方向、前後方向（奥行き方向）及び上下方向（垂直方向）をそれぞれ「Ｘ」、「Ｙ」及び「Ｚ」で示す。主走査方向は、左右方向Ｘと一致し、副走査方向は、前後方向Ｙと一致する。
【００１９】
図１及び図２に示すように、本実施形態のコピー機１は、コピー機１における上方側に配置される画像読取装置２００と、下方側に配置される筐体としての装置本体Ｍと、を備える。装置本体Ｍは、画像読取装置２００からの画像情報に基づいて、シート状の被転写材としての用紙Ｔにトナー画像を形成する。
【００２０】
画像読取装置２００は、蓋部材７０と、原稿Ｇの画像を読み取る読み取り部２０１と、を備える。
蓋部材７０は、読み取り部２０１に対して不図示の連結部により開閉可能に連結される。蓋部材７０は、後述する読取面２０２Ａを保護する機能を有する。
【００２１】
読み取り部２０１は、ＸＹ平面に延びる読取面２０２Ａと、装置本体Ｍの内部に配置され読取面２０２Ａと平行に前後方向Ｙに移動するキャリッジ２１０と、を備える。読取面２０２Ａは、原稿Ｇが載置されるコンタクトガラス２０２の垂直方向Ｚの上面に沿って形成される。読み取り部２０１は、排紙集積部Ｍ１（後述）における垂直方向Ｚの上側に離間して配置される。
【００２２】
キャリッジ２１０は、光路を形成する複数のミラー（不図示）と、結像レンズ（不図示）と、読取手段としてのＣＣＤ（不図示）と、ＣＣＤにより読み取られた画像データに対して所定の処理をすると共に該画像データを装置本体Ｍ側に出力させるＣＣＤ基板（不図示）と、を備える。キャリッジ２１０は、読取面２０２Ａに載置される原稿Ｇの表面に略平行に、副走査方向（前後方向Ｙ）に一定速度で移動する。
これにより、読取面２０２Ａに載置された原稿Ｇの画像が読み取られる。
【００２３】
次に、装置本体Ｍについて説明する。図１及び図２に示すように、装置本体Ｍにおける外形は、ケース体Ｃにより構成される。
ケース体Ｃは、ケース本体Ｃ１と、ケース本体Ｃ１の前側に回動可能に連結される側面カバー部材６５と、ケース本体Ｃ１における垂直方向Ｚの上面側に回動可能に連結されるストッパ部材１０１と、を備える。
【００２４】
また、装置本体Ｍは、後述する排紙部５０における開口側に、集積部としての排紙集積部Ｍ１を備える。排紙集積部Ｍ１は、装置本体Ｍにおける垂直方向Ｚの上面側（外面側）に形成される。排紙集積部Ｍ１における垂直方向Ｚの上側には、画像読取装置２００の読み取り部２０１が配置される。
【００２５】
排紙集積部Ｍ１は、排紙部５０から排出された用紙Ｔが集積する集積面７３を有する。集積面７３は、排紙集積部Ｍ１の一部を構成し、ケース体Ｃにおける垂直方向Ｚの上面側に形成される。集積面７３は、ケース本体Ｃ１における上面であって集積面７３の一部を構成する第１集積面７１と、側面カバー部材６５における上面であって集積面７３の一部を構成する第２集積面７２と、を有する。
【００２６】
第１集積面７１は、ケース本体Ｃ１の垂直方向Ｚの上面に形成される。第１集積面７１は、排紙部５０側から装置本体Ｍの前側に向かって上り勾配となる傾斜面又は湾曲面である。
第２集積面７２は、第１閉位置に位置する側面カバー部材６５の垂直方向Ｚの上面である上部端面６５ａにより構成される。側面カバー部材６５の上部端面６５ａは、第２集積面７２として機能する。第２集積面７２は、側面カバー部材６５が第１閉位置（図１参照）にある場合に、第１集積面７１と前後方向Ｙに連続して配置され、排紙集積部Ｍ１を構成する集積面７３の一部を形成する。
【００２７】
ケース本体Ｃ１には、ストッパ部材１０１が回動可能に連結される。ストッパ部材１０１は、ケース本体Ｃ１に、後述する上部カバー部材１１０に配置される第２回動軸Ｊ２を中心に、横臥した横臥位置（第１位置）と起立した起立位置（第２位置）とに回動移動可能に間接的に連結される。ストッパ部材１０１は、起立位置にある場合、排紙部５０から排出された用紙Ｔが排紙集積部Ｍ１からはみ出して床等に落下することを抑制する。
ストッパ部材１０１については、後に詳述する。
【００２８】
側面カバー部材６５は、ケース体Ｃの一部を構成する。側面カバー部材６５は、ケース本体Ｃ１の前側に回動可能に連結される。側面カバー部材６５は、ケース本体Ｃ１における垂直方向Ｚの下側に配置される第１回動軸Ｊ１により、装置本体Ｍの内部を露出させない第１閉位置（図１参照）と、装置本体Ｍの内部を露出させる第１開位置（図２参照）とに回動可能に、ケース本体Ｃ１に連結される。
【００２９】
側面カバー部材６５は、垂直方向Ｚの上側に形成される上部端面６５ａを有する。上部端面６５ａは、前述の通り、側面カバー部材６５が第１閉位置に位置する場合、ケース本体Ｃ１に形成される第１集積面７１と連続して集積面７３を形成する第２集積面７２として機能する。
【００３０】
側面カバー部材６５は、側面カバー部材６５の外面の上部に、取手部６５ｄを有する。側面カバー部材６５は、ユーザにより取手部６５ｄが矢印Ｂ方向（図１参照）に引かれることで、第１閉位置（図１参照）から第１開位置（図２参照）に回動移動される。
図２に示すように、側面カバー部材６５が第１開位置に位置する場合、装置本体Ｍの内部が露出され、後述するトナーカートリッジ５等の内蔵部材が交換可能となる。
側面カバー部材６５は、図２に示す第１開位置に位置させると、後述する第２給紙部６４として利用可能になる。第２給紙部６４としての構成及び動作は、後述の装置本体Ｍの内部の搬送経路の説明において詳述する。
【００３１】
側面カバー部材６５は、ユーザにより取手部６５ｄに矢印Ｂ方向に力を加えられる場合のみならず、上部端面６５ａに矢印Ｂ方向に所定の力が加えられることによっても、第１閉位置から第１開位置に回動移動される。この場合、側面カバー部材６５は、取手部６５ｄに力を加える場合と比べて弱い力で、第１閉位置から第１開位置に回動移動される。しかし、後で詳述するように、ストッパ部材１０１が第２位置にある場合（図９参照）には、第１閉位置から第１開位置への側面カバー部材６５の移動は抑制される。
【００３２】
図２に示すように、装置本体Ｍは、装置本体Ｍの内部に配置され、所定の画像情報に基づいて用紙Ｔに所定の画像を形成する画像形成部ＧＫと、用紙Ｔを画像形成部ＧＫに給紙すると共に画像が形成された用紙Ｔを排紙する給排紙部とを有する。
【００３３】
次に、画像形成部ＧＫについて詳述する。図２に示すように、画像形成部ＧＫは、感光体ドラム２と、帯電部１０と、レーザスキャナユニット４と、現像器１６と、トナーカートリッジ５と、トナー供給装置６と、転写ローラ８と、定着部９とを備える。
また、給排紙部は、給紙カセット５２と、レジストローラ対８０と、用紙Ｔの搬送路Ｌと、排出部としての排紙部５０と、を備える。
【００３４】
感光体ドラム２は、円筒形状の部材からなり、像担持体として機能する。感光体ドラム２は、左右方向Ｘに延びる回転軸を中心に回転可能な態様で、装置本体Ｍに配置される。感光体ドラム２の表面には、静電潜像が形成される。
【００３５】
帯電部１０は、感光体ドラム２の上方に配置される。帯電部１０は、感光体ドラム２の表面を一様に正（プラス極性）帯電させる。
【００３６】
レーザスキャナユニット４は、感光体ドラム２の上方に感光体ドラム２から離間して配置される。レーザスキャナユニット４は、不図示のレーザ光源、ポリゴンミラー、ポリゴンミラー駆動用モータ等を有して構成される。
レーザスキャナユニット４は、画像読取装置２００から出力された画像情報に基づいて、感光体ドラム２の表面を走査露光する。レーザスキャナユニット４により走査露光されることによって、感光体ドラム２の表面に帯電した電荷が除去される。これにより、感光体ドラム２の表面に静電潜像が形成される。
【００３７】
現像器１６は、感光体ドラム２の前方に配置される。現像器１６は、感光体ドラム２に形成された静電潜像に単色（通常はブラック）のトナー画像を現像する。現像器１６は、感光体ドラム２に対向配置可能な現像ローラ１７と、トナー攪拌用の攪拌ローラ１８とを有して構成される。
【００３８】
トナーカートリッジ５は、現像器１６に供給されるトナーを収容する。
トナー供給装置６は、トナーカートリッジ５に収容されたトナーを、現像器１６に供給する。トナーカートリッジ５は、交換できるように、装置本体Ｍに着脱可能に取り付けられる。
トナーカートリッジ５は、前述の側面カバー部材６５が第１開位置（図２参照）に回動移動されることで、外部に露出されるよう配置される。言い換えると、トナーカートリッジ５を交換する場合、側面カバー部材６５における上部端面６５ａは、トナーカートリッジ５が交換可能な程度に外部に露出されるように、前側に移動される。
【００３９】
図２に示すように、側面カバー部材６５は、その内面側に用紙Ｔを載置可能に構成される。側面カバー部材６５が第１開位置に位置する場合、側面カバー部材６５の内面側は、後述する搬送路Ｌに給紙可能な第２給紙部６４として機能する。
第１開状態にされた側面カバー部材６５における下端側には、第２給紙部６４に載置されている用紙Ｔを搬送路Ｌに繰り出す繰り出しコロ６６が配置される。
【００４０】
ドラムクリーニング装置１１は、感光体ドラム２の後方に配置される。ドラムクリーニング装置１１は、感光体ドラム２の表面に残留したトナーや付着物を除去する。
【００４１】
転写ローラ８は、感光体ドラム２の表面に現像されたトナー画像を用紙Ｔに転写させる。転写ローラ８には、不図示の電圧印加手段により、感光体ドラム２に現像されたトナー画像を用紙Ｔに転写させるための転写バイアスが印加される。
【００４２】
転写ローラ８は、感光体ドラム２に対して接近又は離間可能に構成される。具体的には、転写ローラ８は、感光体ドラム２に当接される当接位置と、感光体ドラム２から離間する離間位置とに移動可能に構成される。詳細には、転写ローラ８は、感光体ドラム２に現像されたトナー画像を用紙Ｔに転写させる場合には当接位置に移動され、他の場合には離間位置に移動される。
【００４３】
感光体ドラム２と転写ローラ８とによって挟み込まれた用紙Ｔは、感光体ドラム２の表面（トナー画像が現像された側）に押し当てられる。このようにして転写ニップＮが形成され、感光体ドラム２に現像されたトナー画像は、用紙Ｔに転写される。
【００４４】
定着部９は、用紙Ｔに転写されたトナー画像を構成するトナーを溶融させて、用紙Ｔに定着させる。定着部９は、ヒータにより加熱される加熱ローラ９ａと、加熱ローラ９ａに圧接される加圧ローラ９ｂと、を備える。加熱ローラ９ａと加圧ローラ９ｂとは、トナー画像が転写された用紙Ｔを挟持するようにして搬送する。用紙Ｔが加熱ローラ９ａと加圧ローラ９ｂとの間に挟持されるように搬送されることによって、用紙Ｔに転写されたトナーは、溶融し、定着する。
【００４５】
給紙カセット５２は、装置本体Ｍの下部に配置される。給紙カセット５２は、装置本体Ｍの前側に前後方向Ｙに引き出し可能に配置される。給紙カセット５２は、用紙Ｔが載置される載置板６０を備えている。給紙カセット５２には、載置板６０に用紙Ｔが積層された状態で、用紙Ｔが収容される。カセット給紙部５１は、給紙カセット５２の用紙送り出し側端部（前側の端部）に配置される。カセット給紙部５１は、給紙カセット５２に収容された用紙Ｔを搬送路Ｌに送り出す。
カセット給紙部５１は、載置板６０に載置された用紙Ｔを取り出す前送りコロ６１と、用紙Ｔを１枚ずつ搬送路Ｌに送り出すローラ対６３とからなる重送防止機構を備える。
【００４６】
カセット給紙部５１と排紙部５０との間には、用紙Ｔを搬送する搬送路Ｌが形成される。搬送路Ｌは、カセット給紙部５１から第２合流部Ｐ２までの第１搬送路Ｌ１と、第２合流部Ｐ２からレジストローラ対８０までの第２搬送路Ｌ２と、レジストローラ対８０から転写ローラ８までの第３搬送路Ｌ３と、転写ローラ８から定着部９までの第４搬送路Ｌ４と、定着部９から分岐部Ｐ３までの第５搬送路Ｌ５と、分岐部Ｐ３から排紙部５０までの第６搬送路Ｌ６と、繰り出しコロ６６から第１合流部Ｐ１までの第７搬送路Ｌ７と、を有している。
【００４７】
第１合流部Ｐ１は、第２合流部Ｐ２に近接して設けられる。第７搬送路Ｌ７は、第１合流部Ｐ１を介して、第２搬送路Ｌ２に合流する。
分岐部Ｐ３には、用紙Ｔを第６搬送路Ｌ６から第２合流部Ｐ２に戻す戻し搬送路Ｌｂが装備されている。第２合流部Ｐ２は、戻し搬送路Ｌｂと第２搬送路Ｌ２との合流部である。
【００４８】
レジストローラ対８０は、転写ローラ８に対して用紙Ｔの搬送方向における上流側（装置本体Ｍの前側）に配置されている。レジストローラ対８０は、用紙Ｔのスキュー（斜め給紙）補正や、トナー画像とのタイミング調整を行うためのローラ対である。
【００４９】
戻し搬送路Ｌｂは、用紙Ｔの両面印刷を行う際に、既に印刷されている面とは反対面（非印刷面）を感光体ドラム２に対向させるために設けられる搬送路である。
戻し搬送路Ｌｂによれば、分岐部Ｐ３から排紙部５０側に搬送された用紙Ｔを表裏反転させて第２搬送路Ｌ２に戻すことができる。戻し搬送路Ｌｂにより表裏反転された用紙Ｔは、感光体ドラム２により非印刷面に対して所定のトナー画像が転写される。
【００５０】
排紙部５０は、第６搬送路Ｌ６の端部に形成される。排紙部５０は、装置本体Ｍにおける上方側に配置される。排紙部５０は、装置本体Ｍの前方側に向けて開口している。排紙部５０は、定着部９によりトナーが定着された用紙Ｔを装置本体Ｍの内部から外部に排紙する。排紙部５０は、開口側に形成される排紙集積部Ｍ１に、画像が形成された用紙Ｔを排出（排紙）する。排紙部５０から排出された用紙Ｔは、排紙集積部Ｍ１に積層されて集積される。
【００５１】
次いで、図３から図１１により、排紙集積部Ｍ１に設けられたストッパ部材１０１及び上部カバー部材１１０の構成について詳述する。図３は、ストッパ部材１０１を説明する拡大斜視図である。図４は、第１位置にあるストッパ部材１０１を説明する拡大断面図である。図５は、第１開位置に移動した側面カバー部材６５を説明する断面図である。図６は、第１閉位置にある側面カバー部材６５と、第１位置にあるストッパ部材１０１とを説明する断面図である。
【００５２】
図７は、第２位置に移動したストッパ部材１０１を説明する斜視図である。図８は、第１閉位置にある側面カバー部材６５と、第２位置に移動したストッパ部材１０１を説明する断面図である。図９は、第１閉位置にある側面カバー部材６５と、第２位置に移動したストッパ部材１０１を説明する拡大断面図である。図１０は、第１開位置に移動した側面カバー部材６５と、第２開位置に移動した上部カバー部材１１０とを説明する斜視図である。図１１は、第２開位置に移動した上部カバー部材１１０と、第３位置に移動したストッパ部材１０１を説明する断面図である。
【００５３】
図３及び図４に示すように、ケース本体Ｃ１における垂直方向Ｚの上側に、上面壁１０９が形成される。上面壁１０９における上面は、排紙集積部Ｍ１の第１集積面７１を構成する。
上部カバー部材１１０は、上面壁１０９の前側であって左右方向Ｘの中央部分に配設される板状の部材である。
【００５４】
図３から図７に示すように、ストッパ部材１０１は、上部カバー部材１１０に配置された第２回動軸Ｊ２により、上部カバー部材１１０に回動可能に連結される。上部カバー部材１１０は、ケース本体Ｃ１に配置された第３回動軸Ｊ３（後述）により、ケース本体Ｃ１に回動自在に連結される。これにより、ストッパ部材１０１は、第２回動軸Ｊ２及び上部カバー部材１１０を介して、ケース本体Ｃ１に回動可能に連結され、横臥した横臥位置（第１位置、図３参照）と起立した起立位置（第２位置。図７参照）とに移動可能となっている。
【００５５】
上部カバー部材１１０は、第２回動軸Ｊ２により、ストッパ部材１０１を回動可能に連結させる。第２回動軸Ｊ２は、上部カバー部材１１０の先端（一端）１１０ｂ側に配置されている。第２回動軸Ｊ２は、左右方向Ｘに延びており、後述する第１回動軸Ｊ１及び第３回動軸Ｊ３と平行に配置されている。
【００５６】
図３から図１１に示すように、上部カバー部材１１０は、その基端（他端）１１０ａ側が、第３回動軸Ｊ３により、装置本体Ｍにおける内部を露出させない第２閉位置（図３、図４参照）と、内部を露出させる第２開位置（図５、図１０参照）とに回動可能になっている。上部カバー部材１１０の先端１１０ｂは上面壁１０９の前端に位置する。上部カバー部材１１０の基端１１０ａは、上面壁１０９の前後方向Ｙにおける中央部に位置する。
【００５７】
上部カバー部材１１０における先端１１０ｂは、上面壁１０９の前端部分と左右方向Ｘに並んで配置される。上部カバー部材１１０における先端１１０ｂは、上面壁１０９の前端部分と共に、側面カバー部材６５の上部端面６５ａに前後方向Ｙに隣接して配置される。
【００５８】
図５に示すように、上部カバー部材１１０は、基端１１０ａ側がケース本体Ｃ１に配置された第３回動軸Ｊ３に回動可能に連結される。第３回動軸Ｊ３は、左右方向に延び、第１回動軸Ｊ１と平行に配置される軸である。
上部カバー部材１１０は、第３回動軸Ｊ３を中心として矢印Ｒ１方向に回動可能にケース本体Ｃ１に連結される。上部カバー部材１１０は、第３回動軸Ｊ３を中心として、基端１１０ａ側において、第３回動軸Ｊ３により装置本体Ｍにおける内部を露出させない第２閉位置（図４参照）と、内部を露出させる第２開位置（図５参照）とに回動可能に、ケース本体Ｃ１に連結される。
【００５９】
図４に示すように、上部カバー部材１１０は、先端１１０ｂに、側面カバー部材６５側に向かって突出した係合用突起部１１１を有する。側面カバー部材６５は、上部端面６５ａ側の内面（後ろ側）に、係合用突起部１１１が嵌入可能な凹部６５ｃを有する。
図４に示すように、上部カバー部材１１０が第２閉位置に位置すると共に、側面カバー部材６５が第１閉位置に位置している場合、係合用突起部１１１は、側面カバー部材６５の凹部６５ｃと係合し、これにより、上部カバー部材１１０は、第２閉位置に位置した状態が維持される。
【００６０】
一方、図５に示すように、側面カバー部材６５が第１開位置に移動した場合、側面カバー部材６５の凹部６５ｃと上部カバー部材１１０の係合用突起部１１１との係合は解除され、これにより、上部カバー部材１１０は、第２閉位置から回動移動可能な状態となる。
また、側面カバー部材６５が第１開位置に回動移動した場合、上部カバー部材１１０は、不図示のリンク機構により、側面カバー部材６５の回動移動に連動して、第２開位置に回動移動する。
【００６１】
このように、上部カバー部材１１０が第２開位置に位置すると共に、側面カバー部材６５が第１開位置に位置する。これにより、装置本体Ｍの内部は、露出した状態となる。
上部カバー部材１１０は、先端１１０ｂ側に連結されたストッパ部材１０１が横臥位置にある場合及び起立位置にある場合の両方において、第２閉位置から第２開位置に回動移動が可能である。
【００６２】
図５に示すように、第２開位置に位置する上部カバー部材１１０は、排紙集積部Ｍ１に集積されている用紙Ｔが装置本体Ｍの前端側に落下しないように、自由端１０１ｂが基端１０１ａよりも垂直方向Ｚの上方に位置するよう傾斜して配置される。
第２開位置に移動した上部カバー部材１１０は、垂直方向Ｚの上方に位置する読み取り部２０１の下部壁２２０に、所定の間隔で接近して配置される。
【００６３】
図６に示すように、上部カバー部材１１０は、第２規制部１１２を備える。第２規制部１１２は、第３位置（図３参照）にあるストッパ部材１０１の第１規制部１０４に当接して、ストッパ部材１０１における横臥位置（第１位置）と反対方向への更なる回動移動を規制する。第３位置は、ストッパ部材１０１が起立位置（第２位置）よりも更に横臥位置（第１位置）と反対方向へ回動移動した位置である。
【００６４】
図５に示すように、ストッパ部材１０１が起立位置（第２位置）に位置した状態で上部カバー部材１１０が第２閉位置から第２開位置に回動移動した場合、上部カバー部材１１０は、ストッパ部材１０１の回動を規制して、ストッパ部材１０１を読み取り部２０１における垂直方向Ｚの下側の面（下面）２２１に沿うように配置させる。
【００６５】
図３及び図４に示すように、ストッパ部材１０１は、上部カバー部材１１０が第２閉位置に位置した状態において、上部カバー部材１１０の上に重なる横臥位置（図３、図４参照）と上部カバー部材１１０から起立した起立位置（図７から図９参照）とに回動可能に、上部カバー部材１１０に連結される。言い換えると、ストッパ部材１０１は、第１集積面７１と略平行な横臥位置と、第１集積面７１から起立した起立位置とに回動移動可能に、ケース本体Ｃ１に連結される。
なお、第２回動軸Ｊ２は、上部カバー部材１１０の基端１１０ａに一体的に形成された軸部材でもよく、あるいは、上部カバー部材１１０の基端１１０ａに装着された別部材からなる軸部材であってもよい。
【００６６】
ストッパ部材１０１は、第２回動軸Ｊ２を中心に回動する板状部材である。ストッパ部材１０１は、ストッパ部材１０１が横臥位置（第１位置）にある場合に垂直方向Ｚの上方側に配置される第１面１０２（図４参照）と、ストッパ部材１０１が起立位置（第２位置）にある場合に排紙部５０側に配置される第２面１０３（図８参照）とを有する。
【００６７】
図４及び図６に示すように、第１面１０２は、ストッパ部材１０１が横臥位置（第１位置）に位置している場合、第１集積面７１と略平行となる。第１面１０２は、ストッパ部材１０１が横臥位置（第１位置）に位置している場合、第１集積面７１と連続して排紙集積部Ｍ１の一部を構成する。
図７から図９に示すように、第２面１０３は、ストッパ部材１０１が起立位置（第２位置）にある場合、排紙部５０側に配置される。
【００６８】
図７及び図８に示すように、ストッパ部材１０１は、起立位置（第２位置）にある場合、自由端１０１ｂが第１集積面７１における前外縁７１ａを越えて前側に延出するように配置される。ストッパ部材１０１が起立位置にある場合、第２面１０３は、第１集積面７１の前端側から斜め上方に屈曲した前上がりの傾斜面を形成し、排紙集積部Ｍ１に集積された用紙Ｔの移動を規制し、用紙Ｔが排紙集積部Ｍ１から落下することを抑制する。
【００６９】
図８及び図９に示すように、ストッパ部材１０１は、第１面１０２に第１規制部１０４を有する。ストッパ部材１０１が起立位置（第２位置）にある場合、第１規制部１０４は、第１閉位置に位置する側面カバー部材６５における第２集積面７２に当接して、第１開位置側（図８の矢印Ｅ方向）への側面カバー部材６５の回動移動を規制する。
【００７０】
具体的には、第１規制部１０４は、第２回動軸Ｊ２による支持位置よりもストッパ部材１０１の自由端１０１ｂ側に寄った位置に、凸状に形成されている。図３に示すように、第１規制部１０４は、第１面１０２における左右方向Ｘの両側部にそれぞれ形成されている。
図６に示すように、第１規制部１０４は、ストッパ部材１０１の自由端１０１ｂ側に形成される第１傾斜部１０４ａと、ストッパ部材１０１における第２回動軸Ｊ２側（基端１０１ａ側）に形成される第２傾斜部１０４ｂとを有し、３角形の凸状に形成されている。第２傾斜部１０４ｂは、第１傾斜部１０４ａよりも傾きが大きくなっている。
【００７１】
図６に示すように、第１傾斜部１０４ａは、ストッパ部材１０１が横臥状態（第１状態）にあるとき、ストッパ部材１０１の上に集積する用紙Ｔの前端を上方に反らせるような緩やかな傾斜を有する。
図９に示すように、第２傾斜部１０４ｂは、ストッパ部材１０１が起立状態（第２状態）となる第２位置にある場合、側面カバー部材６５における第２集積面７２に面接触して当接する。
【００７２】
図９に示すように、側面カバー部材６５が第１閉状態にある場合、第２集積面７２は、側面カバー部材６５の後面側から前面側に向かって下がる前下がりの傾斜面になっている。
第２集積面７２に当接する第２傾斜部１０４ｂは、第２集積面７２に当接した状態では、第２集積面７２と同等又は第２集積面７２よりも前側への下り傾斜が大きい傾斜面に形成されており、第２集積面７２を押さえ付ける面として機能する。
【００７３】
図９に示すように、ストッパ部材１０１が第２位置に回動して起立状態にあるとき、ストッパ部材１０１の重心位置Ｇ２は、第２回動軸Ｊ２に対して、第２傾斜部１０４ｂよりも前側の位置となる。そのため、図９に示すように、ストッパ部材１０１の自重Ｆ２によって作用する第２回動軸Ｊ２回りの回転モーメントは、側面カバー部材６５を閉じる方向に付勢する押圧力Ｓ２となって、第２傾斜部１０４ｂから側面カバー部材６５の上部端面６５ａ（第２集積面７２）に作用する。この押圧力Ｓ２は、第１集積面７１に集積された用紙Ｔがストッパ部材１０１の第２面１０３に当たり、用紙Ｔの重量がストッパ部材１０１に作用するときには、更に大きくなる。
【００７４】
即ち、ストッパ部材１０１が起立状態となる第２位置に回動して、側面カバー部材６５の第２集積面７２に第２傾斜部１０４ｂが当接しているとき、側面カバー部材６５には、第２傾斜部１０４ｂから側面カバー部材６５を閉じる方向の押圧力Ｓ２が作用する。このストッパ部材１０１の干渉（押圧）によって、側面カバー部材６５が意図せず開くことを抑制できる。
【００７５】
ところで、図９に示すように、側面カバー部材６５が第１閉状態である第１閉位置にあって、ストッパ部材１０１が起立状態となる第２位置に回動移動して第２集積面７２に当接している状態で、側面カバー部材６５が開かれると、側面カバー部材６５と上部カバー部材１１０の先端１１０ｂとの係合が外れる。その結果、図５及び図１０に示すように、上部カバー部材１１０は、第３回動軸Ｊ３を支点として、上方の第２開位置に回動移動する。
【００７６】
ストッパ部材１０１が起立位置（第２位置）に位置している状態で、上部カバー部材１１０が上方の第２開位置に回動移動すると、それに伴い、ストッパ部材１０１も上方に移動する。
ストッパ部材１０１は、上部カバー部材１１０の第２開位置への回動移動に伴って上方に移動し、側面カバー部材６５から離間すると、ストッパ部材１０１は、第２回動軸Ｊ２を支点として、起立位置（第２位置）から更に横臥位置（第１位置）とは反対方向へ、自重による回動を始める。
【００７７】
図１１に示すように、上部カバー部材１１０は、先端１１０ｂに第２規制部１１２を有する。第２規制部１１２は、上部カバー部材１１０の先端１１０ｂの端面からなる。第２規制部１１２は、上部カバー部材１１０が第２開位置に回動移動したときに、ストッパ部材１０１の第１規制部１０４に当接してストッパ部材１０１の回動を規制する。第２規制部１１２は、第１規制部１０４の第２傾斜部１０４ｂに当接することで、ストッパ部材１０１を第３位置に固定する。
【００７８】
ストッパ部材１０１は、第２規制部１１２に第１規制部１０４が当接している状態（即ち、第３位置に位置決めされている状態）にある場合、ストッパ部材１０１における自由端１０１ｂが垂直方向Ｚにおいて第２回動軸Ｊ２よりも上側に位置するように配置される。この状態では、図１１に示すように、排紙集積部Ｍ１の上方において排紙集積部Ｍ１に対向する読み取り部２０１における垂直方向Ｚの下側の下面２２１に沿うように配置される。
【００７９】
読み取り部２０１の下面２２１は、読み取り部２０１の前端部において外郭形状となっている下面である。この下面２２１は、前上がりの傾斜面になっている。そして、第３位置に位置決めされたストッパ部材１０１の第２面１０３は、下面２２１に略平行な姿勢になる。
【００８０】
次に、ストッパ部材１０１及び上部カバー部材１１０の動作を、図６、図９、図１１等を用いて説明する。
図６では、側面カバー部材６５は、装置本体Ｍの内部を露出させない第１閉位置にある。上部カバー部材１１０は、装置本体Ｍの内部を露出させない第２閉位置にある。ストッパ部材１０１は、上部カバー部材１１０の上に横臥状態となる横臥位置（第１位置）にある。
【００８１】
この図６に示す状態では、上部カバー部材１１０及びストッパ部材１０１の第１面１０２は、第１集積面７１の一部を構成している。排紙集積部Ｍ１に排出され集積される用紙Ｔにおける排出方向（前後方向Ｙ）の長さが第１集積面７１の前後方向Ｙの長さを超えない場合には、上部カバー部材１１０及びストッパ部材１０１は、図６に示す状態で使用することが可能である。つまり、排出方向の長さが第１集積面７１の前後方向Ｙの長さを超えない小サイズの用紙Ｔの場合には、用紙Ｔが排出された際、前側に向けて上り勾配となっている第１集積面７１の前端側に用紙Ｔの先端側が当たって、用紙Ｔの前側への移動が規制される。
【００８２】
一方、排紙集積部Ｍ１に排出される用紙Ｔにおける排出方向の長さが第１集積面７１の前後方向Ｙの長さを超えている場合には、図９に示すように、ストッパ部材１０１を、起立位置（第２位置）に回動移動させる。
図６に示す横臥状態のストッパ部材１０１を図９に示す起立状態に回動移動させるには、装置本体Ｍの前側から見て第２回動軸Ｊ２よりも前側に位置するストッパ部材１０１の基端１０１ａを押し下げて、ストッパ部材１０１の先端（自由端）１０１ｂ側を上部カバー部材１１０から立ち上げる。そして、ストッパ部材１０１の自由端１０１ｂを側面カバー部材６５側に回動移動させて、ストッパ部材１０１を、起立状態となる第２位置に配置させる。
【００８３】
図４に示すように、ストッパ部材１０１が第２位置に配置されて起立状態になっているときには、排紙部５０から排紙集積部Ｍ１に排出された用紙Ｔは、用紙Ｔの先端がストッパ部材１０１の第２面１０３に当接し、この第２面１０３により前側への移動が規制される。
【００８４】
また、この状態において、ストッパ部材１０１の第１面１０２に形成された第１規制部１０４の第２傾斜部１０４ｂは、装置本体Ｍの内部を露出させない第１閉位置に位置する側面カバー部材６５の上部端面６５ａである第２集積面７２に面接触している。そして、第２集積面７２に面接触する第２傾斜部１０４ｂは、側面カバー部材６５が第１開位置側へ回動移動することを規制する。
【００８５】
第２傾斜部１０４ｂが側面カバー部材６５の第１開位置側への回動移動を規制する力は、ストッパ部材１０１の自重による回転モーメントにより発生し、側面カバー部材６５を第１閉位置に維持する方向の押圧力Ｓ２（図９参照）として側面カバー部材６５に作用する。
そのため、排紙集積部Ｍ１に集積された用紙Ｔの重さがストッパ部材１０１に作用することで、ストッパ部材１０１の回転モーメントが増加すると、第１開位置側への側面カバー部材６５の回動移動を規制する作用が更に高まる。
【００８６】
次に、ストッパ部材１０１が図９に示す第２位置に配置されて起立状態になっているときに、トナーカートリッジ５の交換処理等のために、側面カバー部材６５が第１開位置に回動移動される場合について説明する。
【００８７】
側面カバー部材６５が装置本体Ｍの内部を露出させる第１開位置に回動移動させられると、それに伴い、図１１に示すように、上部カバー部材１１０は、第３回動軸Ｊ３を支点として第２開位置に回動移動して、装置本体Ｍの内部を露出させる。また、上部カバー部材１１０が第２開位置へ回動移動すると、上部カバー部材１１０の先端１１０ｂに第２回動軸Ｊ２を介して連結されるストッパ部材１０１は、第２位置よりも更に横臥位置から反対側に回動移動した第３位置に配置される。
即ち、側面カバー部材６５を第１開位置に回動移動させて、装置本体Ｍの内部を露出させるときには、上部カバー部材１１０及びストッパ部材１０１は上方に待避して、装置本体Ｍ内の露出部分、開口の間口などが広げられる。
【００８８】
また、第３位置に回動移動したストッパ部材１０１は、自由端１０１ｂが第１回動軸Ｊ１よりも垂直方向Ｚにおいて上側に位置しており、装置本体Ｍの前側に向かって上り勾配となる傾斜状態に配置される。
【００８９】
以上の構成を有する本実施形態のコピー機１によれば、例えば以下の効果が奏される。
本実施形態においては、ケース体Ｃは、ストッパ部材１０１における第１面１０２に形成され、ストッパ部材１０１が第２位置にある場合、第１閉位置にある側面カバー部材６５の第２集積面７２に当接して側面カバー部材６５における第１開位置側への回動移動を規制する第１規制部１０４を有する。
【００９０】
そのため、本実施形態によれば、側面カバー部材６５が第１閉位置に位置している場合に、ストッパ部材１０１が第２位置に配置されて、排紙集積部Ｍ１に集積される用紙Ｔの落下を抑制するときには、ストッパ部材１０１に形成された第１規制部１０４が側面カバー部材６５の上部端面６５ａである第２集積面７２に接触する。そして、第１規制部１０４が、側面カバー部材６５の開位置側への回動移動を規制する力を第２集積面７２に付与する。
【００９１】
しかも、第１規制部１０４が第１開位置側への側面カバー部材６５の回動移動を規制する力は、ストッパ部材１０１の回転モーメントである。そのため、排紙集積部Ｍ１に集積された用紙Ｔの重量がストッパ部材１０１に作用するときには、ストッパ部材１０１の回転モーメントが増加し、側面カバー部材６５の第１開位置側への回動移動を規制する第１規制部１０４の作用が更に高まる。
【００９２】
従って、排紙集積部Ｍ１に集積された用紙Ｔの重量がストッパ部材１０１に作用しても、その重量が側面カバー部材６５を第１開位置側へ回動させる方向に伝達されることはなく、側面カバー部材６５がユーザの意図しないタイミングで開いてしまうという問題の発生を抑制することができる。
【００９３】
また、本実施形態によれば、ストッパ部材１０１の第１面１０２に形成された第１規制部１０４は、ストッパ部材１０１の自由端１０１ｂ側に延びる第１傾斜部１０４ａと、第２回動軸Ｊ２側に配置される第２傾斜部１０４ｂとを備えている。また、ストッパ部材１０１において、基端１０１ａと第２傾斜部１０４ｂとの傾斜が異なっている。そのため、第１規制部１０４は、ストッパ部材１０１の基端１０１ａ側から自由端１０１ｂ側に比較的長く延びた凸状となっている。そのため、第１規制部１０４は、ストッパ部材１０１の長手方向の剛性を向上させる補強リブとして有用に機能する。従って、ストッパ部材１０１の強度確保が容易になり、薄肉化等による軽量化が図り易くなる。
【００９４】
また、本実施形態によれば、側面カバー部材６５の開位置側への回動移動を規制する第１規制部１０４の第２傾斜部１０４ｂは、側面カバー部材６５の第２集積面７２に面接触して当接する。そのため、第２傾斜部１０４ｂが第２集積面７２に作用させる規制力が、例えば第２集積面７２上の一点に集中的に作用することがない。従って、第２傾斜部１０４ｂからの規制力により、第２集積面７２が傷付きにくい。
【００９５】
また、本実施形態によれば、ストッパ部材１０１が第２位置に配置されて図９に示す起立状態になっているときに、トナーカートリッジ５の交換処理等のために、側面カバー部材６５が開位置に回動移動されると、それに伴い、上部カバー部材１１０は図１１に示すように、第３回動軸Ｊ３を支点として第２開位置に回動移動して、装置本体Ｍの内部を露出させる。また、ストッパ部材１０１は、第２位置よりも更に横臥位置から反対側に回動移動した第３位置に配置される。
【００９６】
即ち、側面カバー部材６５を開位置に回動移動させて、装置本体Ｍの内部を露出させるときには、上部カバー部材１１０やストッパ部材１０１が上方に待避して、装置本体Ｍ内の露出部分、開口の間口が広げられる。
そのため、上部カバー部材１１０やストッパ部材１０１が、トナーカートリッジ５の交換処理等の邪魔になりにくく、メンテナンス性を向上させることができる。
【００９７】
また、本実施形態によれば、第３位置に回動移動したストッパ部材１０１は、自由端１０１ｂが第２回動軸Ｊ２よりも垂直方向Ｚの上側に位置しており、装置本体Ｍの前側に向かって上り勾配となる傾斜状態に配置される。そのため、集積している用紙Ｔの先端が垂れにくく、集積している用紙Ｔの落下防止作用を安定的に維持することができる。
【００９８】
また、本実施形態によれば、第３位置に回動移動したストッパ部材１０１は、ストッパ部材１０１の上方に配置されている読み取り部２０１における垂直方向Ｚの下面２２１に沿うように配置される。言い換えると、第３位置に回動移動したストッパ部材１０１は、読み取り部２０１における垂直方向Ｚの下面２２１に対して、略平行な配置となっている。これにより、ストッパ部材１０１の読み取り部２０１側への待避により、ストッパ部材１０１の下方側により大きな開放空間が確保される。その結果、トナーカートリッジ５の交換処理等の作業が更に実施し易くなり、メンテナンス性の更なる向上を図ることができる。
【００９９】
以上、好適な実施形態について説明したが、本発明は、前述した実施形態に限定されることなく、種々の形態で実施することができる。
例えば、上記実施形態では、ストッパ部材１０１は、上部カバー部材１１０を介して間接的にケース本体Ｃ１に連結されている。しかし、上部カバー部材１１０を有していない形態の場合には、ストッパ部材１０１をケース本体Ｃ１に直接的に連結する構成にしてもよい。
また、本実施形態において、トナーカートリッジ５を交換するために側面カバー部材６５を閉状態から開状態に回動移動させているが、これに限定されず、他の内部部材や内部ユニット等を交換するために側面カバー部材６５を開状態に回動移動させるように構成されていてもよい。
【０１００】
本実施形態において、画像形成装置としてコピー機１について説明しているが、これに限定されず、カラーコピー機、プリンタ、ファクシミリ及びこれらの複合機等であってもよい。
シート状の被転写材は、用紙に制限されず、例えば、フィルムシートであってもよい。
【符号の説明】
【０１０１】
１……コピー機（画像形成装置）、５０……排紙部（排出部）、６５……側面カバー部材、６５ａ……上側端面、７１……第１集積面、７２……第２集積面、７３……集積面、１０１……ストッパ部材、１０１ｂ……自由端、１０２……第１面、１０３……第２面、１０４……第１規制部、１０４ａ……第１傾斜部、１０４ｂ……第２傾斜部、１１０……上部カバー部材、１１０ａ……基端（他端）、１１０ｂ……先端（一端）、１１２……第２規制部、２００……画像読取装置、２０１……読み取り部、２２１……下面（下側の面）、Ｃ……ケース体、Ｃ１……ケース本体、ＧＫ……画像形成部、Ｍ……装置本体（筐体）、Ｍ１……排紙集積部（集積部）、Ｔ……用紙（被転写材）、Ｊ１……第１回動軸、Ｊ２……第２回動軸、Ｊ３……第３回動軸、Ｚ……垂直方向
【図１】
2011075891.tif 000003
【図２】
2011075891.tif 000004
【図３】
2011075891.tif 000005
【図４】
2011075891.tif 000006
【図５】
2011075891.tif 000007
【図６】
2011075891.tif 000008
【図７】
2011075891.tif 000009
【図８】
2011075891.tif 000010
【図９】
2011075891.tif 000011
【図１０】
2011075891.tif 000012
【図１１】
2011075891.tif 000013